(57)【特許請求の範囲】
【請求項１】
商品の発注画面をインターネット上にて表示する発注画面表示部と、
ユーザからの発注を発注画面表示部での操作に基づいて取得する発注取得部と、
発注取得部にて取得した発注の第一決済情報を第一国の決済サーバ装置である第一国決済サーバ装置に出力する決済情報出力部と、
発注取得部にて取得した発注の商品発送のための情報である商品発送情報を第二国の商品発送のためのサーバ装置である第二国商品発送サーバ装置に出力する商品発送情報出力部と
からなる第一国に設置される第一国商品受注サーバ装置と、
前記決済情報出力部から出力される第一決済情報を取得する第一決済情報取得部と、
取得した第一決済情報に基づいて第二国の決済サーバ装置である第二国決済サーバ装置に第二決済情報を出力する第二決済情報出力部と
を有する第一国決済サーバ装置と
からなる第一国システムと、
前記第一国システムの第一国商品受注サーバ装置の商品発送情報出力部から商品発送情報を取得する商品発送情報取得部と、
取得した商品発送情報に基づいて第二国にて国内在庫の有無を管理する第二国在庫管理サーバ装置に対して在庫の有無の問い合わせをする在庫有無問合出力部と、
在庫有無問合出力部からの応答を取得する在庫応答取得部と、
在庫応答取得部での応答に応じて第二国での決済情報を処理する第二国決済サーバ装置又は、第一国決済サーバ装置に決済処理の中止又は変更を指示する情報である決済変更情報を出力する決済変更情報出力部と
を有する第二国商品発送サーバ装置と、
前記第一国システムの第二決済情報出力部から出力される第二決済情報を取得する第二決済情報取得部と
を有する第二国決済サーバ装置と
からなる第二国システムと
を備える越境システムであって、
前記第一国商品受注サーバ装置は、
第一国ローカル商品の発注画面をインターネット上にて表示するローカル商品発注画面表示部と、
第一国ローカル商品以外の発注画面をインターネット上にて表示するノンローカル商品発注画面表示部と
を有する第一国ローカル商品受注サーバ装置を含み、
前記第一国商品受注サーバ装置の発注画面表示部は、
前記第一国ローカル商品受注サーバ装置の前記ノンローカル商品発注画面表示部からのリダイレクト処理又はリンク処理と併せて第二国の言語を第一国の言語に自動翻訳する自動翻訳を介して商品の発注画面をインターネット上にて表示する割当表示手段を有し、
前記第一国ローカル商品受注サーバ装置の前記ノンローカル商品発注画面表示部からのリダイレクト処理又はリンク処理によって商品の発注画面をインターネット上にて表示する割当表示第二国サーバ装置を有することを特徴とする越境システム。
【請求項２】
第一国ローカル商品受注サーバ装置は、
登録会員情報保持部と、
インターネットを介する登録会員認証部と、
登録会員認証部での認証がされた場合にのみローカル商品発注画面表示部と、ノンローカル商品発注画面表示部と、にインターネットを介してアクセスを許可するアクセス許可部と
をさらに有することを特徴とする請求項１記載の越境システム。
【請求項３】
前記第二国決済サーバ装置は、
商品の第一国での輸入に際して追加関税が必要か否かを示す情報である追加関税情報として追加関税必要情報か追加関税不要情報を取得する追加関税情報取得部と、
追加関税情報取得部が追加関税が必要である旨を示す情報である追加関税必要情報を取得した場合にユーザに追加関税の支払いを求める追加関税支払要求を出力するための追加関税支払要求出力部と
をさらに有することを特徴とする請求項１または２に記載の越境システム。
【発明の詳細な説明】
【技術分野】
【０００１】
本発明は、複数の国を跨いで行われる国際商取引において、商品の受注・発注及び決済情報のやりとりなどを行うためのシステムに関するものである。
【背景技術】
【０００２】
国際商取引においては、通常、企業間で貿易取引が行われて、企業が輸入した者を個人ユーザが国内で購入するという仕組みが一般的である。
【０００３】
しかし、このような企業間の貿易取引においては、高額な関税が課されることが通常であり、その税の部分が実質的に個人ユーザに転嫁される結果、海外商品を購入しようとすると高額になってしまうという問題があった。
【０００４】
そこで、国内ユーザが海外の商品を安く購入するためのシステムが求められていた。そのようなシステムとして、特許文献１に記載のシステムが挙げられる。
【先行技術文献】
【特許文献】
【０００５】
【特許文献１】特願２０００−４５１７２
【発明の概要】
【発明が解決しようとする課題】
【０００６】
特許文献１においては、海外免税店と国内ユーザと仲介会社からなるシステムであり、仲介会社が発信するホームページに一覧された海外免税店の商品を、国内ユーザが回覧して注文するというシステムが開示されている。
【０００７】
具体的には、仲介会社は、発信するホームページに海外免税店が販売する商品と価格を記載する。国内のユーザは、仲介会社のホームページにアクセスして、商品を回覧、申込フォームで注文する。注文を受けた仲介会社は、その情報を海外の免税店に送信する。送信を受けた海外免税店は、国内ユーザに商品を発送して決済する。仲介会社は、仲介料として手数料を双方から受け取るという具合である。
【０００８】
しかし、特許文献１では、免税制度を利用したものであるが、免税とは消費税の免除であり、関税の免除を意味しない。また、免税を受けるためには、パスポートの原本提示などの所定の手続が必要であり、これを経なければ免税店は消費税の納税義務を免れないので、通常、免税店としてもパスポートの提示なくして免税価格で販売しない。さらに、例えば、平成27年１月の時点での免税対象は、「1人1日1店舗あたり1万円超の購入」が必要であるなどの制約がある。そのため、特許文献１に記載のシステムは、実施するとなると手続の方法などに大きな問題を残しており、実際の利用に適したものではなかった。また、送金の煩雑さを回避するための工夫が開示されていないため、煩雑な国際送金をする手間が個人ユーザに課されていた。
【課題を解決するための手段】
【０００９】
本発明は、そのような問題を踏まえて、対象を免税店に限ることなく、海外商品を直接第一国内の個人ユーザが購入するとともに、支払いは国内で行えるようにすることで、関税を回避するとともに煩雑な送金処理を回避し、格安に海外商品の提供を受けることができるシステムを提供しようとするものである。
【００１０】
具体的には、本発明は、商品の発注画面をインターネット上にて表示する発注画面表示部と、ユーザからの発注を発注画面表示部での操作に基づいて取得する発注取得部と、発注取得部にて取得した発注の第一決済情報を第一国の決済サーバ装置である第一国決済サーバ装置に出力する決済情報出力部と、発注取得部にて取得した発注の商品発送のための情報である商品発送情報を第二国の商品発送のためのサーバ装置である第二国商品発送サーバ装置に出力する商品発送情報出力部と、からなる第一国に設置される第一国商品受注サーバ装置と、前記決済情報出力部から出力される第一決済情報を取得する第一決済情報取得部と、取得した第一決済情報に基づいて第二国の決済サーバ装置である第二国決済サーバ装置に第二決済情報を出力する第二決済情報出力部と、を有する第一国決済サーバ装置と、からなる第一国システムを提供する。
【００１１】
また、前記第一国システムの第一国商品受注サーバ装置の商品発送情報出力部から商品発送情報を取得する商品発送情報取得部と、取得した商品発送情報に基づいて第二国にて国内在庫の有無を管理する第二国在庫管理サーバ装置に対して在庫の有無の問い合わせをする在庫有無問合出力部と、在庫有無問合出力部からの応答を取得する在庫応答取得部と、在庫応答取得部での応答に応じて第二国での決済情報を処理する第二国決済サーバ装置又は、第一国決済サーバ装置に決済処理の中止又は変更を指示する情報である決済変更情報を出力する決済変更情報出力部と、を有する第二国商品発送サーバ装置と、前記第一国システムの第二決済情報出力部から出力される第二決済情報を取得する第二決済情報取得部と、を有する第二国決済サーバ装置と、からなる第二国システムを提供する。
【００１２】
また、前記特徴に加えて、前記第二国決済サーバ装置は、商品の第一国での輸入に際して追加関税が必要か否かを示す情報である追加関税情報として追加関税必要情報か追加関税不要情報を取得する追加関税情報取得部と、追加関税情報取得部が追加関税が必要である旨を示す情報である追加関税必要情報を取得した場合にユーザに追加関税の支払いを求める追加関税支払要求を出力するための追加関税支払要求出力部と、をさらに有する第二国システム。
【００１３】
また、前記特徴に加えて、第一国商品受注サーバ装置は、第一国ローカル商品の発注画面をインターネット上にて表示するローカル商品発注画面表示部と、第一国ローカル商品以外の発注画面をインターネット上にて表示するノンローカル商品発注画面表示部と、を有する第一国ローカル商品受注サーバ装置を含む第一国システムを提供する。
【００１４】
また、前記特徴に加えて、前記第一国商品受注サーバ装置の発注画面表示部は、前記第一国ローカル商品受注サーバ装置の前記ノンローカル商品発注画面表示部からのリダイレクト処理又はリンク処理によって商品の発注画面をインターネット上にて表示する割当表示手段を有する第一国システムを提供する。
【００１５】
また、前記特徴に加えて、前記第一国ローカル商品受注サーバ装置の前記ノンローカル商品発注画面表示部からのリダイレクト処理又はリンク処理によって商品の発注画面をインターネット上にて表示する割当表示第二国サーバ装置を有する第二国システムを提供する。
【００１６】
また、第一国ローカル商品受注サーバ装置は、登録会員情報保持部と、インターネットを介する登録会員認証部と、登録会員認証部での認証がされた場合にのみローカル商品発注画面表示部とノンローカル商品発注画面表示部とにインターネットを介してアクセスを許可するアクセス許可部と、をさらに有する第一国システムを提供する。
【００１７】
最後に、前記いずれかの第一国システムと、前記いずれかの第二国システムからなる越境システムを提供する。
【００１８】
そして、これらの処理を第一国に設置される第一国商品受注サーバ装置及び第一国決済サーバ装置によって実行させる場合の第一国システムの処理方法を提供した。また、これらの処理を第二国に設置される第二国商品発送サーバ装置及び第二国決済サーバ装置によって実行させる場合の第二国システムの処理方法を提供した。
【００１９】
以上により、海外商品を直接第一国内の個人ユーザが購入するとともに、支払いは国内で行えるようにすることで、関税を回避するとともに煩雑な送金処理を回避し、格安に海外商品の提供を受けることができるシステムを提供しようとするものである。
【図面の簡単な説明】
【００２０】
【図１】実施例１における第一国システムの機能的構成を示す図
【図２】実施例１における第一国商品受注サーバ装置のハードウェア構成を示す図
【図３】実施例１における第一国決済サーバ装置のハードウェア構成を示す図
【図４】実施例１における第一国システムを利用した場合の処理の流れを示す図
【図５】実施例２における第二国システムの機能的構成を示す図
【図６】実施例２における第二国商品発送サーバ装置のハードウェア構成を示す図
【図７】実施例２における第二国決済サーバ装置のハードウェア構成を示す図
【図８】実施例２における第二国システムを利用した場合の処理の流れを示す図
【図９】実施例３における第二国システムの機能的構成を示す図
【図１０】実施例３における第二国決済サーバ装置のハードウェア構成を示す図
【図１１】実施例３における第二国システムを利用した場合の処理の流れを示す図
【図１２】実施例４における第一国システムの機能的構成を示す図
【図１３】実施例４における第一国ローカル商品受注サーバ装置のハードウェア構成を示す図
【図１４】実施例４における第一国システムを利用した場合の処理の流れを示す図
【図１５】実施例５における第一国システムの機能的構成を示す図
【図１６】実施例５における第一国ローカル商品受注サーバ装置のハードウェア構成を示す図
【図１７】実施例５における第一国システムを利用した場合の処理の流れを示す図
【図１８】実施例６における第一国システムの機能的構成を示す図
【図１９】実施例６における第一国ローカル商品受注サーバ装置のハードウェア構成を示す図
【図２０】実施例６における第一国システムを利用した場合の処理の流れを示す図
【発明を実施するための形態】
【００２１】
以下、本件発明の実施の形態について、添付図面を用いて説明する。なお、実施例と請求項の相互の関係は以下の通りである。主として、実施例１の説明は請求項１及び９に関し、実施例２の説明は請求項２及び１０に関し、実施例３の説明は請求項３に関し、実施例４の説明は請求項４に関し、実施例５の説明は請求項５及び６に関し、実施例６の説明は請求項７に関し、実施例７の説明は請求項８に関するものである。本件発明は、これら実施例に何ら限定されるべきものではなく、その要旨を逸脱しない範囲において、種々なる態様で実施し得る。また、各装置における機能は、１つの装置において実現されているものに限られず、複数の装置をもって実現させている場合であっても、その場合には複数の装置を一体の装置（例えば、第一国商品受注サーバ装置など）として、本発明の範囲に属するものである。
【００２２】
また、全ての実施例において、第一国は消費地国、第二国は生産地や販売地国など消費地国以外の国を意味し、第一国と第二国は異なる国であるものとする。
【実施例１】
【００２３】
本実施例における第一国システムは、発注画面表示部と発注取得部と決済情報出力部と商品発送情報出力部とからなる第一国に設置される第一国商品受注サーバ装置と、第一決済情報取得部と第二決済情報出力部とを有する第一国決済サーバ装置と、からなる第一国システムである。
【００２４】
以下、本実施例における第一国システムについて、機能的構成、ハードウェア構成及び処理の流れについて、順に説明する。
【００２５】
＜機能的構成＞
図１は、本実施例における第一国システムの機能的構成を示す図である。第一国システムは、第一国商品受注サーバ装置（０１０１）と第一国決済サーバ装置（０１０２）とからなり、第一国商品受注サーバ装置は、発注画面（０１０３）をインターネット上にて表示する発注画面表示部（０１０６）、発注取得部（０１０７）、決済情報出力部（０１０８）、商品発送情報を第二国商品発送サーバ装置（０１０４）に出力する商品発送情報出力部（０１０９）を有している。また、第一国決済サーバ装置は、第一決済情報取得部（０１１０）、第二国決済サーバ装置（０１０５）に第二決済情報を出力する第二決済情報出力部（０１１１）を有する。以下、機能的構成については、第一国商品受注サーバ装置（０１０１）と第一国決済サーバ装置（０１０２）に分けて、具体的に各機能の内容につき説明する。
【００２６】
≪第一国商品受注サーバ装置の機能≫
「発注画面表示部」とは、商品の発注画面をインターネット上にて表示する機能である。
【００２７】
「発注取得部」とは、ユーザからの発注を発注画面表示部での操作に基づいて取得する機能である。関税を回避するためには、発注するユーザは、事業目的購入ではない個人であることが望ましい。
【００２８】
「決済情報出力部」とは、発注取得部にて取得した発注の第一決済情報を第一国の決済サーバ装置である第一国決済サーバ装置に出力する機能である。ここにおける「第一決済情報」とは、第一国で一般的に利用可能な決済手段を利用するための決済情報であり、たとえば第一国内に存在する銀行口座からの引き落としのための決済情報であったり、第一国内で利用可能なクレジットカードを利用する決済情報であったりする。これらの決済情報は、個人ユーザが利用するものである。ユーザは、国境を越えて利用可能な決済手段を持たないとしても、決済は第一国内で表面的に行われるので不便を感じない。中国でいえば、銀聯カードのようなクレジットカードを利用する決済情報（例えばカードIDと有効期限情報又はセキュリティーコードのいずれかの組み合わせなどが一例としてあげられる）が、この第一決済情報に該当する。後述する第一国決済サーバ装置において、この第一決済情報に基づいて個人ユーザの口座からの引き落としが行われたり、クレジットカードの課金記録が記録されたりする。この引き落とされた金額、課金記録が記録されて後ほど回収される金額に相当する金額、あるいは、これらから所定の管理手数料等を差し引いた金額が、第二国の決済サーバ装置に送られ、最終的には商品の販売者等の口座に入金されることとなる。なお、第一決済情報は、同じ発注に基づいて生成される商品発送情報と紐づけられる。どの商品の発送に対して支払われるべき金銭であるかを明確にするためである。
【００２９】
「商品発送情報出力部」とは、発注取得部にて取得した発注の商品発送のための情報である商品発送情報を第二国の商品発送のためのサーバ装置である第二国商品発送サーバ装置に出力する機能である。「商品発送情報」とは、例えば、型番などの商品ＩＤ、購入個数、配送先情報、配送方法などが挙げられる。この配送先情報は、第一国の個人ユーザが指定した場所であり、通常は当該個人ユーザの住所である。配送方法については、通常はＥＭＳを利用するが、その商品の内容により適宜個人ユーザが選択できるようにすると望ましい。その際、内容の金額等によって関税額が異なるようであれば、その額についても選択において表示するなどの工夫をすることが望ましい。
【００３０】
≪第一国決済サーバ装置の機能≫
「第一決済情報取得部」とは、前記決済情報出力部から出力される第一決済情報を取得する機能である。
【００３１】
「第二決済情報出力部」とは、取得した第一決済情報に基づいて第二国の決済サーバ装置である第二国決済サーバ装置に第二決済情報を出力する機能である。ここにおける「第二決済情報」とは、例えば購入金額についての振込みが完了したなど、支払済み情報ないし振込完了情報や、購入金額をあらかじめ定められている銀行口座に振り込む予定であることを知らせる情報である。
【００３２】
＜ハードウェア構成＞
本実施例における第一国システムは、第一国商品受注サーバ装置と第一国決済サーバ装置とからなる。ハードウェア構成については、各装置について、図を用いて説明する。
【００３３】
≪第一国商品受注サーバ装置≫
図２は、本実施例における第一国商品受注サーバ装置のハードウェア構成を示す図である。この図にあるように、本実施例における第一国商品受注サーバ装置は、各種演算処理を行う「ＣＰＵ（中央演算装置）」（０２０１）と、「主メモリ」（０２０２）と、を備えている。また、商品発注画面情報、発注情報、第一決済情報、商品発送情報などを保持する「ＨＤＤ」（０２０３）や、ユーザ端末（０２０６）、第一国決済サーバ装置（０２０７）、第二国商品発送サーバ装置（０２０８）と情報の送受信を行う「ネットワーク・Ｉ／Ｆ（インターフェース）」（０２０４）を備えている。そして、それらが「システムバス」（０２０５）などのデータ通信経路によって相互に接続され、情報の送受信や処理を行う。
【００３４】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、発注画面表示プログラム、発注取得プログラム、決済情報出力プログラム、商品発送情報出力プラグラムである。また、「主メモリ」と「ＨＤＤ」には、インターネット上にて表示するための商品発注画面の情報である商品発注画面情報、ユーザから取得した発注情報、第一決済情報、発注の商品発送のための情報である商品発送情報などが格納されている。
【００３５】
「ＣＰＵ」は、「主メモリ」に格納されている発注画面表示プログラムを実行して、「ネットワーク・インターフェース」を通じてユーザ端末の発注画面に商品発注画面情報を表示する。そして、「主メモリ」に格納されている発注取得プログラムを実行して、「ネットワーク・インターフェース」を通じてユーザからの発注情報を取得する。そして、この発注情報のうちの第一決済情報につき、「主メモリ」に格納されている第一決済情報出力プログラムを実行して、「ネットワーク・インターフェース」を通じて第一国決済サーバ装置に出力する。また、この発注情報のうちの商品発送情報につき、「主メモリ」に格納されている商品発送情報出力プログラムを実行して、「ネットワーク・インターフェース」を通じて第二国商品発送サーバ装置に出力する。
【００３６】
≪第一国決済サーバ装置≫
図３は、本実施例における第一国決済サーバ装置のハードウェア構成を示す図である。この図にあるように、本実施例における第一国決済サーバ装置は、各種演算処理を行う「ＣＰＵ（中央演算装置）」（０３０１）と、「主メモリ」（０３０２）と、を備えている。また、第一決済情報、第二決済情報などを保持する「ＨＤＤ」（０３０３）や、第二国決済サーバ装置（０３０６）、第一国商品受注サーバ装置（０３０７）と情報の送受信を行う「ネットワーク・Ｉ／Ｆ（インターフェース）」（０３０４）を備えている。そして、それらが「システムバス」（０３０５）などのデータ通信経路によって相互に接続され、情報の送受信や処理を行う。
【００３７】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、第一決済情報取得プログラム、第二決済情報出力プログラムである。また、「主メモリ」と「ＨＤＤ」には、第一決済情報、第二決済情報などが格納されている。
【００３８】
「ＣＰＵ」は、「主メモリ」に格納されている第一決済情報取得プログラムを実行して、「ネットワーク・インターフェース」を通じて第一国商品受注サーバ装置から第一決済情報を取得する。そして、「主メモリ」に格納されている第二決済情報出力プログラムを実行して、「ネットワーク・インターフェース」を通じて第二国決済サーバ装置に出力する。
【００３９】
＜処理の流れ＞
図４は、本実施例における第一国システムを利用した場合の処理の流れを示す図である。図４にあるように、発注画面表示ステップ（Ｓ０４０１）、発注取得ステップ（Ｓ０４０２）、決済情報出力ステップ（Ｓ０４０３）、商品発送情報出力ステップ（Ｓ０４０４）からなる第一国商品受注サーバ装置の処理方法と、第一決済情報取得ステップ（Ｓ０４０５）、第二決済情報出力ステップ（Ｓ０４０６）からなる第一国決済サーバ装置からなる処理方法である。そして、第一国商品受注サーバ装置における第一決済情報出力ステップ後に第一国決済サーバ装置における第一決済情報取得ステップが実行される。なお、決済情報出力ステップと商品発送情報出力ステップは、お互いに先後関係はなく、同時であっても良いし、いずれが先であっても良い。
【００４０】
「発注画面表示ステップ」とは、商品の発注画面をインターネット上にて表示する段階である。
【００４１】
「発注取得ステップ」とは、ユーザからの発注を発注画面表示部での操作に基づいて取得する段階である。
【００４２】
「決済情報出力ステップ」とは、発注取得ステップにて取得した発注の第一決済情報を第一国の決済サーバ装置である第一国決済サーバ装置に出力する段階である。
【００４３】
「商品発送情報出力ステップ」とは、発注取得ステップにて取得した発注の商品発送のための情報である商品発送情報を第二国の商品発送のためのサーバ装置である第二国商品発送サーバ装置に出力する段階である。
【００４４】
「第一決済情報取得ステップ」とは、前記第一国商品受注サーバ装置における決済情報出力ステップにて出力される第一決済情報を取得する段階である。
【００４５】
「第二決済情報出力ステップ」とは、取得した第一決済情報に基づいて第二国の決済サーバ装置である第二国決済サーバ装置に第二決済情報を出力する段階である。
【００４６】
＜まとめ＞
以上により、海外商品を直接第一国内の個人ユーザが購入することによって、企業間の輸出入においてかかる関税を回避し、格安に海外商品の提供を受けることができるシステムを提供することができる。さらに、商品を第二国から購入する場合でも、決済を第一国内で完了させることができるようになり、煩雑な送金処理を回避することができるシステムを提供することができる。また、煩雑な送金処理でいえば、個人ユーザからすれば、国内で通用しているクレジットカードや国内金融機関の銀行口座自動引落しなどで決済を完了させることができるので、新たな決済用の口座や海外でも通用するクレジットカードを作ったりする必要がなく便利である。
【実施例２】
【００４７】
本実施例における第二国システムは、商品発送情報取得部と在庫有無問合出力部と在庫応答取得部と決済変更情報出力部とを有する第二国商品発送サーバ装置と、第二決済情報取得部を有する第二国決済サーバ装置と、からなる第二国システムである。
【００４８】
以下、本実施例における第二国システムについて、機能的構成、ハードウェア構成及び処理の流れについて、順に説明する。
【００４９】
＜機能的構成＞
図５は、本実施例における第二国システムの機能的構成を示す図である。第二国システムは、第二国商品発送サーバ装置（０５０３）と第二国決済サーバ装置（０５０４）とからなり、第二国商品発送サーバ装置は、第一国商品受注サーバ装置（０５０１）の商品発送情報出力部（０５０５）から商品発送情報を取得する商品発送情報取得部（０５０７）、在庫有無問合せ出力部（０５０８）、在庫応答取得部（０５０９）、決済変更情報出力部（０５１０）を有している。また、第二国決済サーバ装置は、第一決済サーバ装置（０５０２）の第二決済情報出力部（０５０６）から第二決済情報を取得する第二決済情報取得部（０５１１）を有する。
【００５０】
本実施例における第二国システムの場合、前記実施例１に記載した第一国決済サーバ装置は、決済変更情報を取得する決済変更情報取得部を有し、取得した決済変更情報の内容に応じて第二決済情報出力部から決済を変更する旨の変更済第二決済情報を出力するように構成してもよい。あるいは、そもそも第二決済情報出力部から第二決済情報を出力するまでに所定の時間を待つようにし、決済変更情報の取得がない場合にのみ第二決済情報を出力するように構成してもよい。さらには、第二国システムの決済変更情報には予定通り決済を進めてもよい旨の情報を内容とする種類のものもあり、第一国決済サーバ装置は、この種の情報を内容とする決済変更情報を取得した後に第二決済情報を出力するように構成してもよい。
【００５１】
以下、機能的構成については、第二国商品発送サーバ装置と第二国決済サーバ装置に分けて、具体的に各機能の内容につき説明する。
【００５２】
≪第二国商品発送サーバ装置の機能≫
「商品発送情報取得部」とは、実施例１に記載の第一国システムの第一国商品受注サーバ装置の商品発送情報出力部から商品発送情報を取得する機能である。
【００５３】
「在庫有無問合出力部」とは、取得した商品発送情報に基づいて第二国にて国内在庫の有無を管理する第二国在庫管理サーバ装置に対して在庫の有無の問い合わせをする機能である。ここにおいて問い合わせる内容は、在庫の有無及び量等の情報であり、問合せ先は、メーカー、販売又は流通業者などである。
【００５４】
「在庫応答取得部」とは、在庫有無問合出力部からの応答を取得する機能である。ここにおける応答内容は、在庫の有無及び量に加えて、追加での製造及び入荷見込み、並びに希望量が揃うまでの期間などの情報であることが望ましい。
【００５５】
「決済変更情報出力部」とは、在庫応答取得部での応答に応じて第二国での決済情報を処理する第二国決済サーバ装置又は、第一国決済サーバ装置に決済処理の中止又は変更を指示する情報である決済変更情報を出力する機能である。
【００５６】
≪第二国決済サーバ装置の機能≫
「第二決済情報取得部」とは、実施例１に記載の第一国システムの第二決済情報出力部から出力される第二決済情報を取得する機能である。
【００５７】
＜ハードウェア構成＞
本実施例における第二国システムは、第二国商品発送サーバ装置と第二国決済サーバ装置とからなる。ハードウェア構成については、各装置について、図を用いて説明する。
【００５８】
≪第二国商品発送サーバ装置≫
図６は、本実施例における第二国商品発送サーバ装置のハードウェア構成を示す図である。この図にあるように、本実施例における第二国商品発送サーバ装置は、各種演算処理を行う「ＣＰＵ（中央演算装置）」（０６０１）と、「主メモリ」（０６０２）と、を備えている。また、商品発送情報、在庫有無問合せ情報、在庫応答情報、決済変更情報などを保持する「ＨＤＤ」（０６０３）や、第二国決済サーバ装置（０６０６）、第一国決済サーバ装置（０６０７）、第一国商品受注サーバ装置（０６０８）、第二国在庫管理サーバ装置（０６０９）と情報の送受信を行う「ネットワーク・Ｉ／Ｆ（インターフェース）」（０６０４）を備えている。そして、それらが「システムバス」（０６０５）などのデータ通信経路によって相互に接続され、情報の送受信や処理を行う。
【００５９】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、商品発送情報取得プログラム、在庫有無問合せ出力プログラム、在庫応答取得プログラム、決済変更情報出力プラグラムである。また、「主メモリ」と「ＨＤＤ」には、発注の商品発送のための情報である商品発送情報、在庫有無問合せ情報、問合せに対する応答である在庫応答情報、決済処理の中止又は変更を指示する情報である決済変更情報などが格納されている。
【００６０】
「ＣＰＵ」は、「主メモリ」に格納されている商品発送情報取得プログラムを実行して、「ネットワーク・インターフェース」を通じて第一国商品受注サーバ装置からの商品発送情報を取得する。そして、この商品発送情報に基づき当該商品の在庫有無問合せ情報を、「主メモリ」に格納されている在庫有無問合せ出力プログラムを実行して、「ネットワーク・インターフェース」を通じて第二国在庫管理サーバ装置に出力する。また、「主メモリ」に格納されている在庫応答取得プログラムを実行して、「ネットワーク・インターフェース」を通じて第二国在庫管理サーバ装置からの在庫応答情報を取得する。「主メモリ」に格納されている決済変更情報出力プログラムを実行して、「ネットワーク・インターフェース」を通じて決済処理の中止又は変更を指示する情報である決済変更情報を、第二国決済サーバ装置又は第一国決済サーバ装置に出力する。
【００６１】
≪第二国決済サーバ装置≫
図７は、本実施例における第二国決済サーバ装置のハードウェア構成を示す図である。この図にあるように、本実施例における第二国決済サーバ装置は、各種演算処理を行う「ＣＰＵ（中央演算装置）」（０７０１）と、「主メモリ」（０７０２）と、を備えている。また、第二決済情報などを保持する「ＨＤＤ」（０７０３）や、第一国決済サーバ装置（０７０６）と情報の送受信を行う「ネットワーク・Ｉ／Ｆ（インターフェース）」（０７０４）を備えている。そして、それらが「システムバス」（０７０５）などのデータ通信経路によって相互に接続され、情報の送受信や処理を行う。
【００６２】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、第二決済情報取得プログラムである。また、「主メモリ」と「ＨＤＤ」には、第二決済情報などが格納されている。
【００６３】
「ＣＰＵ」は、「主メモリ」に格納されている第二決済情報取得プログラムを実行して、「ネットワーク・インターフェース」を通じて第一国決済サーバ装置から第二決済情報を取得する。
【００６４】
＜処理の流れ＞
図８は、本実施例における第二国システムを利用した場合の処理の流れを示す図である。図８にあるように、商品発送情報取得ステップ（Ｓ０８０１）、在庫有無問合せステップ（Ｓ０８０２）、在庫応答取得ステップ（Ｓ０８０３）、決済変更情報出力ステップ（Ｓ０８０４）からなる第二国商品発送サーバ装置の処理方法と、第二決済情報取得ステップ（Ｓ０８０５）からなる第二国決済サーバ装置からなる処理方法である。
【００６５】
「商品発送情報取得ステップ」とは、実施例１に記載の第一国システムの第一国商品受注サーバ装置の商品発送情報出力ステップにて出力される商品発送情報を取得する段階である。
【００６６】
「在庫有無問合出力ステップ」とは、取得した商品発送情報に基づいて第二国にて国内在庫の有無を管理する第二国在庫管理サーバ装置に対して在庫の有無の問い合わせをする段階である。
【００６７】
「在庫応答取得ステップ」とは、在庫有無問合出力部からの応答を取得する段階である。
【００６８】
「決済変更情報出力ステップ」とは、在庫応答取得ステップでの応答に応じて第二国での決済情報を処理する第二国決済サーバ装置又は、第一国決済サーバ装置に決済処理の中止又は変更を指示する情報である決済変更情報を出力する段階である。
【００６９】
「第二決済情報取得ステップ」とは、実施例１に記載の第一国システムの処理方法の第二決済情報出力ステップにて出力される第二決済情報を取得する段階である。
【００７０】
＜まとめ＞
以上により、第一国から取得した情報に基づいて、第二国にて商品発送までの手配を確実に行うことができる。
【実施例３】
【００７１】
本実施例における第二国システムは、商品発送情報取得部と在庫有無問合出力部と在庫応答取得部と決済変更情報出力部とを有する第二国商品発送サーバ装置と、第二決済情報取得部と追加関税情報取得部と追加関税支払要求出力部とを有する第二国決済サーバ装置と、からなる第二国システムである。実施例２における第二国システムの特徴に加えて、第二国決済サーバ装置が、追加関税情報取得部と追加関税支払要求出力部とを有する点に特徴がある。
【００７２】
以下、本実施例における第二国システムについて、機能的構成、ハードウェア構成及び処理の流れについて、順に説明する。
【００７３】
＜機能的構成＞
図９は、本実施例における第二国システムの機能的構成を示す図である。第二国システムは、第二国商品発送サーバ装置（０９０３）と第二国決済サーバ装置（０９０４）とからなり、第二国商品発送サーバ装置は、第一国商品受注サーバ装置（０９０１）の商品発送情報出力部（０９０５）から商品発送情報を取得する商品発送情報取得部（０９０７）、在庫有無問合せ出力部（０９０８）、在庫応答取得部（０９０９）、決済変更情報出力部（０９０９）を有している。また、第二国決済サーバ装置は、第一決済サーバ装置（０９０２）の第二決済情報出力部（０９０６）ら第二決済情報を取得する第二決済情報取得部（０９１１）と、追加関税情報取得部（０９１２）と、ユーザ（０９１４）に追加関税支払要求を出力するための追加関税支払要求出力部（０９１３）とを有する。そして、このうち第二国商品発送サーバ装置の機能的構成については、実施例２と同様である。以下では、第二国決済サーバ装置の各機能の内容につき説明する。
【００７４】
≪第二国決済サーバ装置の構成≫
「第二決済情報取得部」は、実施例２と同様である。
【００７５】
「追加関税情報取得部」とは、商品の第一国での輸入に際して追加関税が必要か否かを示す情報である追加関税情報として追加関税必要情報か追加関税不要情報を取得する機能である。ここにおける追加関税必要情報とは、追加関税が必要である旨のみならず、その支払期限及び支払額についての情報を含むのは当然のこと、関税申告に関する専門家の紹介情報を更に含むものであっても良い。そうすれば、個人ユーザであっても、専門家に申告及び納税手続を依頼することにより、関税納付を正確かつ容易に行うことができる。
【００７６】
また、追加関税が必要か否かは、商品の数量によって定まるものであり、商品の数量は、第一国商品受注サーバ装置からの商品発注情報に基づくこともあれば、第一国決済サーバ装置から出力される第一決済情報に基づくこともあれば、あるいは在庫情報に基づく場合もある。在庫情報に基づけば、実際の輸出入にかかる数量になるので、正確に追加関税の要否を判断することができる。
【００７７】
「追加関税支払要求出力部」とは、追加関税情報取得部が追加関税が必要である旨を示す情報である追加関税必要情報を取得した場合にユーザに追加関税の支払いを求める追加関税支払要求を出力する機能である。
【００７８】
＜ハードウェア構成＞
本実施例における第二国システムは、第二国商品発送サーバ装置と第二国決済サーバ装置とからなる。本実施例における第二国商品発送サーバ装置のハードウェア構成は、実施例２と同様である。したがって、以下では、第二国決済サーバ装置のハードウェア構成につき、図を用いて説明する。
【００７９】
≪第二国決済サーバ装置≫
図１０は、本実施例における第二国決済サーバ装置のハードウェア構成を示す図である。この図にあるように、本実施例における第二国決済サーバ装置は、各種演算処理を行う「ＣＰＵ（中央演算装置）」（１００１）と、「主メモリ」（１００２）と、を備えている。また、第二決済情報などを保持する「ＨＤＤ」（１００３）や、第一国決済サーバ装置（１００６）、ユーザ端末（１００７）と情報の送受信を行う「ネットワーク・Ｉ／Ｆ（インターフェース）」（１００４）を備えている。そして、それらが「システムバス」（１００５）などのデータ通信経路によって相互に接続され、情報の送受信や処理を行う。
【００８０】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、第二決済情報取得プログラム、追加関税情報取得プログラム、追加関税支払要求出力プログラムである。また、「主メモリ」と「ＨＤＤ」には、第二決済情報、追加関税情報、追加関税支払要求などが格納されている。追加関税情報としては、追加関税が必要である旨の情報である追加関税必要情報と追加関税が不要である旨の情報である追加関税不要情報とがあり得る。
【００８１】
「ＣＰＵ」は、「主メモリ」に格納されている第二決済情報取得プログラムを実行して、「ネットワーク・インターフェース」を通じて第一国決済サーバ装置から第二決済情報を取得する。そして、「主メモリ」に格納されている追加関税情報取得プラグラムを実行して、商品の第一国での輸入に際して追加関税が必要か否かを示す情報である追加関税情報として追加関税必要情報か追加関税不要情報を取得する。そして、この場合に追加関税が必要である旨の追加関税情報を取得した場合には、「主メモリ」に格納されている追加関税支払要求出力プログラムを実行して、「ネットワーク・インターフェース」を通じてユーザ端末に追加関税の支払いを求める追加関税支払要求を出力する。
【００８２】
＜処理の流れ＞
図１１は、本実施例における第二国システムを利用した場合の処理の流れを示す図である。図１１にあるように、商品発送情報取得ステップ（Ｓ１１０１）、在庫有無問合せステップ（Ｓ１１０２）、在庫応答取得ステップ（Ｓ１１０３）、決済変更情報出力ステップ（Ｓ１１０４）からなる第二国商品発送サーバ装置の処理方法と、第二決済情報取得ステップ（Ｓ１１０５）、追加関税情報取得ステップ（Ｓ１１０６）追加関税が必要か否かの確認（Ｓ１１０７）、追加関税支払要求出力ステップ（Ｓ１１０８）からなる第二国決済サーバ装置からなる処理方法である。なお、図１１のうち、第二国商品発送サーバ装置の各ステップは実施例２と同様である。
【００８３】
「第二決済情報取得ステップ」については、実施例２と同様である。
【００８４】
「追加関税情報取得ステップ」とは、商品の第一国での輸入に際して追加関税が必要か否かを示す情報である追加関税情報として追加関税必要情報か追加関税不要情報を取得する段階である。
【００８５】
次に、追加関税が必要であるか否かにより、処理の方法が分岐する。追加関税が不要であれば、処理は完了する。もっとも、追加関税が必要であれば、次のステップに移行する。
【００８６】
「追加関税支払要求出力ステップ」とは、追加関税情報取得ステップにて追加関税が必要である旨を示す情報である追加関税必要情報を取得した場合に、ユーザに追加関税の支払いを求める追加関税支払要求を出力する段階である。
【００８７】
＜まとめ＞
これらにより、追加関税の有無を把握し、追加関税の支払いが必要な場合にはユーザに通知することができる。
【実施例４】
【００８８】
本実施例における第一国システムは、発注画面表示部と発注取得部と決済情報出力部と商品発送情報出力部とからなる第一国に設置される第一国商品受注サーバ装置と、第一決済情報取得部と第二決済情報出力部とを有する第一国決済サーバ装置と、第一国商品受注サーバ装置に含まれておりローカル商品発注画面表示部とノンローカル商品発注画面表示部とを有する第一国ローカル商品受注サーバ装置と、からなる第一国システムである。本実施例は、実施例１の第一国システムの特徴に加えて、ローカル商品発注画面表示部とノンローカル商品発注画面表示部とを有する第一国ローカル商品受注サーバ装置が第一国商品受注サーバ装置に含まれている点に特徴がある。また、本実施例は、第一国ローカル商品受注サーバ装置が第一国商品受注サーバ装置に含まれる場合だけではなく、ローカル商品発注画面表示部とノンローカル商品発注画面表示部に対応する機能が第一国商品受注サーバ装置に含まれる場合も含むものである。この点は、以後の実施例においても同様である。
【００８９】
＜本実施例の目的＞
本実施例が狙いとしていることは、第一国に存在する既存のインターネットショッピングサイトについて、そのサイトを普段から利用しているユーザに対して、第二国の商品を同じサイト内にて案内することにより、既存ユーザの囲い込みをし、特段の新たな集客活動や情報提供あるいはユーザの側からすれば新たな会員登録をしなくとも第二国の商品の購入が促進されるという効果の発揮を目的とするものである。
【００９０】
以下、本実施例における第一国システムについて、機能的構成、ハードウェア構成及び処理の流れについて、順に説明する。
【００９１】
＜機能的構成＞
図１２は、本実施例における第一国システムの機能的構成を示す図である。第一国システムは、第一国商品受注サーバ装置（１２０１）と第一国決済サーバ装置（１２０２）と第一国ローカル商品受注サーバ装置（１２０６）とからなり、第一国商品受注サーバ装置は、発注画面（１２０３）をインターネット上にて表示する発注画面表示部（１２０７）、発注取得部（１２０８）、決済情報出力部（１２０９）、商品発送情報を第二国商品発送サーバ装置（１２０４）に出力する商品発送情報出力部（１２１０）を有している。また、第一国決済サーバ装置は、第一決済情報取得部（１２１１）、第二国決済サーバ装置（１２０５）に第二決済情報を出力する第二決済情報出力部（１２１２）を有する。また、第一国ローカル商品受注サーバ装置は、第一国商品受注サーバ装置に含まれており、ローカル商品発注画面表示部（１２１３）とノンローカル商品発注画面表示部（１２１４）を有する。
【００９２】
そして、第一国ローカル商品受注サーバ装置以外の機能的構成については、実施例１と同様である。以下では、第一国ローカル商品受注サーバ装置の各機能の内容につき説明する。
【００９３】
≪第一国ローカル商品受注サーバ装置の構成≫
「ローカル商品発注画面表示部」とは、第一国ローカル商品の発注画面をインターネット上にて表示する機能である。
【００９４】
「ノンローカル商品発注画面表示部」とは、第一国ローカル商品以外の発注画面をインターネット上にて表示する機能である。
【００９５】
＜ハードウェア構成＞
本実施例における第一国システムは、第一国商品受注サーバ装置と第一国決済サーバ装置と第一国ローカル商品受注サーバ装置とからなる。本実施例における第一国ローカル商品受注サーバ装置以外のハードウェア構成は、実施例１と同様である。したがって、以下では、第一国ローカル商品受注サーバ装置のハードウェア構成につき、図を用いて説明する。
【００９６】
図１３は、本実施例における第一国ローカル商品受注サーバ装置のハードウェア構成を示す図である。この図にあるように、本実施例における第一国商品受注サーバ装置は、各種演算処理を行う「ＣＰＵ（中央演算装置）」（１３０１）と、「主メモリ」（１３０２）と、を備えている。また、ローカル商品発注画面情報、ノンローカル商品発注画面情報などを保持する「ＨＤＤ」（１３０３）や、ユーザ端末（１３０６）と情報の送受信を行う「ネットワーク・Ｉ／Ｆ（インターフェース）」（１５０４）、第一国商品受注サーバ装置（１３０８）の「Ｉ／Ｏ（アウトプット／インプット）」（１３０９）を通じて情報の送受信を行うための「Ｉ／Ｏ」（１３０７）を備えている。そして、それらが「システムバス」（１３０５）などのデータ通信経路によって相互に接続され、情報の送受信や処理を行う。
【００９７】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、ローカル商品発注画面表示プログラム、ノンローカル商品発注画面表示プログラムである。また、「主メモリ」と「ＨＤＤ」には、第一国ローカル商品の発注画面の情報であるローカル商品発注画面情報、第一国ローカル商品以外の発注画面の情報であるノンローカル商品発注画面情報などが格納されている。
【００９８】
「ＣＰＵ」は、「主メモリ」に格納されているローカル商品発注画面表示プログラム及びノンローカル商品発注画面表示プログラムを実行して、「ネットワーク・インターフェース」を通じてユーザ端末の発注画面に、第一国ローカル商品と第一国ローカル商品以外の両方の商品発注画面情報を表示する。
【００９９】
＜処理の流れ＞
図１４は、本実施例における第一国システムを利用した場合の処理の流れを示す図である。図１４にあるように、発注画面表示ステップ（Ｓ１４０１）、ローカル商品発注画面表示ステップ（Ｓ１４０２）、ノンローカル商品発注画面表示ステップ（Ｓ１４０３）、発注取得ステップ（Ｓ１４０４）、決済情報出力ステップ（Ｓ１４０５）、商品発送情報出力ステップ（Ｓ１４０６）からなる第一国商品受注サーバ装置の処理方法と、第一決済情報取得ステップ（Ｓ１４０７）、第二決済情報出力ステップ（Ｓ１４０８）からなる第一国決済サーバ装置からなる処理方法である。そして、第一国商品受注サーバ装置における第一決済情報出力ステップ後に第一国決済サーバ装置における第一決済情報取得ステップが実行される。なお、図１４のうち、第一国決済サーバ装置の各ステップは実施例１と同様である。また、第一国商品受注サーバ装置については、ローカル商品発注画面表示ステップ及びノンローカル商品発注画面表示ステップを除いて、実施例１と同様である。したがって、ローカル商品発注画面表示ステップ及びノンローカル商品発注画面表示ステップローカル商品発注画面表示ステップ及びノンローカル商品発注画面表示ステップについて説明する。
【０１００】
「ローカル商品発注画面表示ステップ」とは、第一国ローカル商品の発注画面をインターネット上にて表示する段階である。
【０１０１】
「ノンローカル商品発注画面表示ステップ」とは、第一国ローカル商品以外の発注画面をインターネット上にて表示する段階である。
【０１０２】
これらにより、第一国に存在する既存のインターネットショッピングサイトについて、そのサイトを普段から利用しているユーザに対して、第二国の商品を同じサイト内にて案内することができるようになる。それにより、既存ユーザの囲い込みをし、特段の新たな集客活動や情報提供あるいはユーザの側からすれば新たな会員登録をしなくとも第二国の商品の購入が促進されるという効果の発揮する
【実施例５】
【０１０３】
本実施例における第一国システムは、割当表示手段を備える発注画面表示部と発注取得部と決済情報出力部と商品発送情報出力部とからなる第一国に設置される第一国商品受注サーバ装置と、第一決済情報取得部と第二決済情報出力部とを有する第一国決済サーバ装置と、ローカル商品発注画面表示部とノンローカル商品発注画面表示部とを有する第一国ローカル商品受注サーバ装置と、からなる第一国システムである。本実施例は、実施例４の第一国システムの特徴に加えて、第一国商品受注サーバ装置に含まれる発注画面表示部が、割当表示手段を備えている点に特徴がある。
【０１０４】
以下、本実施例における第一国システムについて、機能的構成、ハードウェア構成及び処理の流れについて、順に説明する。
【０１０５】
＜機能的構成＞
図１５は、本実施例における第一国システムの機能的構成を示す図である。第一国システムは、第一国商品受注サーバ装置（１５０１）と第一国決済サーバ装置（１５０２）と第一国ローカル商品受注サーバ装置（１５０６）とからなり、第一国商品受注サーバ装置は、発注画面（１５０３）をインターネット上にて表示する発注画面表示部（１５０７）及び発注画面表示部に含まれる割当表示手段（１５１５）、発注取得部（１５０８）、決済情報出力部（１５０９）、商品発送情報を第二国商品発送サーバ装置（１５０４）に出力する商品発送情報出力部（１５１０）を有している。また、第一国決済サーバ装置は、第一決済情報取得部（１５１１）、第二国決済サーバ装置（１５０５）に第二決済情報を出力する第二決済情報出力部（１５１２）を有する。また、第一国ローカル商品受注サーバ装置は、第一国商品受注サーバ装置に含まれており、ローカル商品発注画面表示部（１５１３）とノンローカル商品発注画面表示部（１５１４）を有する。
【０１０６】
そして、このうち第一国決済サーバ装置及び第一国ローカル商品受注サーバ装置の機能的構成については、実施例４と同様である。以下では、第一国商品受注サーバ装置の各機能の内容につき説明する。
【０１０７】
≪第一国商品受注サーバ装置の構成≫
「発注画面表示部」とは、商品の発注画面をインターネット上にて表示する機能である。そして、本実施例における「発注画面表示部」は、前記第一国ローカル商品受注サーバ装置の前記ノンローカル商品発注画面表示部からのリダイレクト処理又はリンク処理によって商品の発注画面をインターネット上にて表示する「割当表示手段」を有する。
【０１０８】
この「割当表示手段」について説明すると、第一国ローカル商品以外の発注画面表示については、第二国のメーカー等のサイトへのリダイレクト処理又はリンク処理によりアクセスする方法をとる。それにより、既存のサイトである第二国のメーカー等のサイトを直接利用して、第二国の商品を購入することができるので、第二国にて新しい商品が登場した際などの更新を第一国内で行う必要がなくなる。
【０１０９】
リダイレクト処理又はリンク処理によるアクセスを用いる場合、第二国の言語を第一国の言語に自動翻訳するための自動翻訳機能を備えていても良い。そうすれば、個人ユーザであっても、海外の商品サイトを母国語で閲覧することができ、商品の購入を促進することができる。
【０１１０】
「発注取得部」、「決済情報出力部」、「商品発送情報出力部」の機能については、実施例１と同様である。
【０１１１】
＜ハードウェア構成＞
本実施例における第一国システムは、第一国商品受注サーバ装置と第一国決済サーバ装置と第一国ローカル商品受注サーバ装置とからなる。本実施例における第一国ローカル商品受注サーバ装置と第一国決済サーバ装置のハードウェア構成は、実施例４と同様である。したがって、以下では、第一国商品受注サーバ装置のハードウェア構成につき、図を用いて説明する。
【０１１２】
図１６は、本実施例における第一国ローカル商品受注サーバ装置のハードウェア構成を示す図である。この図にあるように、本実施例における第一国商品受注サーバ装置は、各種演算処理を行う「ＣＰＵ（中央演算装置）」（１６０１）と、「主メモリ」（１６０２）と、を備えている。また、商品発注画面情報、発注情報、第一決済情報、商品発送情報などを保持する「ＨＤＤ」（１６０３）や、ユーザ端末（１６０６）、第一国決済サーバ装置（１６０７）、第二国商品発送サーバ装置（１６０８）と情報の送受信を行う「ネットワーク・Ｉ／Ｆ（インターフェース）」（１６０４）、第一国商品受注サーバ装置（１６１０）の「Ｉ／Ｏ（アウトプット／インプット）」（１６１１）を通じて情報の送受信を行うための「Ｉ／Ｏ」（１６０９）を備えている。そして、それらが「システムバス」（１６０５）などのデータ通信経路によって相互に接続され、情報の送受信や処理を行う。
【０１１３】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、割当表示サブプログラムを含んでいる発注画面表示プログラム、発注取得プログラム、決済情報出力プログラム、商品発送情報出力プログラムである。また、「主メモリ」と「ＨＤＤ」には、「主メモリ」と「ＨＤＤ」には、インターネット上にて表示するための商品発注画面の情報である商品発注画面情報、ユーザから取得した発注情報、第一決済情報、発注の商品発送のための情報である商品発送情報などが格納されている。
【０１１４】
「ＣＰＵ」は、「主メモリ」に格納されている発注画面表示プログラムを実行して、「ネットワーク・インターフェース」を通じてユーザ端末の発注画面に商品発注画面情報を表示する。その表示の際、「主メモリ」に格納されている発注画面表示プログラムに含まれている割当表示サブプログラムを実行して、第一国ローカル商品受注サーバ装置におけるノンローカル商品発注画面表示プログラムを実行したことによるリダイレクト処理又はリンク処理によって商品の発注画面をインターネット上にて表示する。
【０１１５】
そして、「主メモリ」に格納されている発注取得プログラムを実行して、「ネットワーク・インターフェース」を通じてユーザからの発注情報を取得する。そして、この発注情報のうちの第一決済情報につき、「主メモリ」に格納されている第一決済情報出力プログラムを実行して、「ネットワーク・インターフェース」を通じて第一国決済サーバ装置に出力する。また、この発注情報のうちの商品発送情報につき、「主メモリ」に格納されている商品発送情報出力プログラムを実行して、「ネットワーク・インターフェース」を通じて第二国商品発送サーバ装置に出力する。
【０１１６】
＜処理の流れ＞
図１７は、本実施例における第一国システムを利用した場合の処理の流れを示す図である。図１７にあるように、発注画面表示ステップ（Ｓ１７０１）、ローカル商品発注画面表示ステップ（Ｓ１７０２）、ノンローカル商品発注画面表示ステップ（Ｓ１７０３）、割当表示サブステップ（Ｓ１７０４）、発注取得ステップ（Ｓ１７０５）、決済情報出力ステップ（Ｓ１７０６）、商品発送情報出力ステップ（Ｓ１７０７）からなる第一国商品受注サーバ装置の処理方法と、第一決済情報取得ステップ（Ｓ１７０８）、第二決済情報出力ステップ（Ｓ１７０９）からなる第一国決済サーバ装置からなる処理方法である。そして、第一国商品受注サーバ装置における第一決済情報出力ステップ後に第一国決済サーバ装置における第一決済情報取得ステップが実行される。図１７のうち、第一国決済サーバ装置の各ステップは実施例１と同様である。第一国商品受注サーバ装置は、商品発注画面表示ステップが割当表示サブステップを含んでいることを除いて、実施例１及び実施例４と同様である。
【０１１７】
「商品発注画面表示ステップ」の段階において、割当表示サブステップが存在する。「割当表示サブステップ」とは、第一国ローカル商品受注サーバ装置のノンローカル商品発注画面表示ステップでのリダイレクト処理又はリンク処理によって商品の発注画面をインターネット上にて表示する段階である。
【０１１８】
＜まとめ＞
以上により、既存のサイトである第二国のメーカー等のサイトを直接利用して、第二国の商品を購入することができるので、第二国にて新しい商品が登場した際などの更新を第一国内で行う必要がなくなる。また、実施例４にて前述した囲い込みの効果も十分に発揮することができる。
【０１１９】
＜変形例＞
これら割当表示の機能は、発注画面表示部に存在することが一次的には想定されているが、第一国において、実施例４に記載の第一国ローカル商品受注サーバ装置の前記ノンローカル商品発注画面表示部からのリダイレクト処理又はリンク処理によって商品の発注画面をインターネット上にて表示する割当表示第一国サーバ装置を備えている構成であっても良い。また、第二国において、実施例４に記載の第一国ローカル商品受注サーバ装置の前記ノンローカル商品発注画面表示部からのリダイレクト処理又はリンク処理によって商品の発注画面をインターネット上にて表示する割当表示第二国サーバ装置を備えている構成であっても良い。さらには、これらの構成を兼用しても良い。
【０１２０】
このような変形例であっても、実施例５と同様の効果を奏し得る。
【実施例６】
【０１２１】
本実施例における第一国システムは、割当表示手段を備える発注画面表示部と発注取得部と決済情報出力部と商品発送情報出力部とからなる第一国に設置される第一国商品受注サーバ装置と、第一決済情報取得部と第二決済情報出力部とを有する第一国決済サーバ装置と、ローカル商品発注画面表示部とノンローカル商品発注画面表示部と登録会員情報保持部と登録会員認証部とアクセス許可部とを有する第一国ローカル商品受注サーバ装置と、からなる第一国システムである。本実施例は、実施例５の第一国システムの特徴に加えて、第一国ローカル商品受注サーバ装置に登録会員情報保持部と登録会員認証部とアクセス許可部が含まれている点に特徴がある。
【０１２２】
＜本実施例の目的＞
本実施例が狙いとしていることは、第一国に存在する既存のインターネットショッピングサイトについて、そのサイトを普段から利用している登録会員に限定して、第二国の商品を同じサイト内にて案内することにより、第二国商品を安価で購入するという特典を得たいというユーザにおける第一国に存在する既存のインターネットショッピングサイトへの会員登録を促進する効果の発揮を目的とするものである。
【０１２３】
以下、本実施例における第一国システムについて、機能的構成、ハードウェア構成及び処理の流れについて、順に説明する。
【０１２４】
＜機能的構成＞
図１８は、本実施例における第一国システムの機能的構成を示す図である。第一国システムは、第一国商品受注サーバ装置（１８０１）と第一国決済サーバ装置（１８０２）と第一国ローカル商品受注サーバ装置（１８０６）とからなり、第一国商品受注サーバ装置は、発注画面（１８０３）をインターネット上にて表示する発注画面表示部（１８０７）及び発注画面表示部に含まれる割当表示手段（１８１５）、発注取得部（１８０８）、決済情報出力部（１８０９）、商品発送情報を第二国商品発送サーバ装置（１８０４）に出力する商品発送情報出力部（１８１０）を有している。また、第一国決済サーバ装置は、第一決済情報取得部（１８１１）、第二国決済サーバ装置（１８０５）に第二決済情報を出力する第二決済情報出力部（１８１２）を有する。また、第一国ローカル商品受注サーバ装置は、第一国商品受注サーバ装置に含まれており、ローカル商品発注画面表示部（１８１３）とノンローカル商品発注画面表示部（１８１４）、登録会員情報保持部（１８１６）、登録会員認証部（１８１７）、アクセス許可部（１８１８）を有する。
【０１２５】
そして、本実施例は、第一国ローカル商品受注サーバ装置に登録会員情報保持部と登録会員認証部とアクセス許可部が含まれている点に特徴があり、それ以外の点については実施例１及び４及び５と同様である。以下では、登録会員情報保持部と登録会員認証部とアクセス許可部の各構成につき説明する。
【０１２６】
「登録会員情報保持部」とは、登録会員情報を保持する機能である。第二国商品を安価で購入するという特典を付与するものなので、登録会員になるための要件を適宜定めておいても良い。例えば、会員登録において、職業、収入、家族構成、居住地域などを入力させるなどした上で、場合によっては証明書類の提出を求めるなどの工夫が考えられる。そのようにすれば、一定の信用状態にある者のみが登録会員になることができ、第一国システムに対する第二国における信頼も高まる。
【０１２７】
「登録会員認証部」とは、インターネットを介して登録会員であるか否かを認証する機能である。
【０１２８】
「アクセス許可部」とは、登録会員認証部での認証がされた場合にのみ、ローカル商品発注画面表示部とノンローカル商品発注画面表示部とにインターネットを介してアクセスを許可する機能である。
【０１２９】
＜ハードウェア構成＞
本実施例における第一国システムは、第一国商品受注サーバ装置と第一国決済サーバ装置と第一国ローカル商品受注サーバ装置とからなる。本実施例は、第一国ローカル商品受注サーバ装置のハードウェア構成を除き、実施例５と同様である。したがって、以下では、第一国ローカル商品受注サーバ装置のハードウェア構成につき、図を用いて説明する。
【０１３０】
図１９は、本実施例における第一国ローカル商品受注サーバ装置のハードウェア構成を示す図である。この図にあるように、本実施例における第一国ローカル商品受注サーバ装置は、各種演算処理を行う「ＣＰＵ（中央演算装置）」（１９０１）と、「主メモリ」（１９０２）と、を備えている。また、ローカル商品発注画面情報、ノンローカル商品発注画面情報、登録会員情報などを保持する「ＨＤＤ」（１９０３）や、ユーザ端末（１９０６）と情報の送受信を行う「ネットワーク・Ｉ／Ｆ（インターフェース）」（１９０４）、第一国商品受注サーバ装置（１９０８）の「Ｉ／Ｏ（アウトプット／インプット）」（１９０９）を通じて情報の送受信を行うための「Ｉ／Ｏ」（１９０７）を備えている。そして、それらが「システムバス」（１９０５）などのデータ通信経路によって相互に接続され、情報の送受信や処理を行う。
【０１３１】
ここに「主メモリ」は、各種処理を行うプログラムを「ＣＰＵ」に実行させるために読み出すと同時に、そのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。本実施例において「主メモリ」に格納されているプログラムは、ローカル商品発注画面表示プログラム、ノンローカル商品発注画面表示プログラム、登録会員認証プログラム、アクセス許可プログラムである。また、「主メモリ」と「ＨＤＤ」には、第一国ローカル商品の発注画面の情報であるローカル商品発注画面情報、第一国ローカル商品以外の発注画面の情報であるノンローカル商品発注画面情報、登録会員に関する情報である登録会員情報などが格納されている。
【０１３２】
「ＣＰＵ」は、「主メモリ」に格納されている登録会員認証プログラムを実行して、格納されている登録会員情報と入力された情報の一致・不一致を確認し、登録会員であるか否かの認証を行う。そして、登録会員であるとの認証結果の場合には、「主メモリ」に格納されているアクセス許可部を実行することにより、「主メモリ」に格納されているローカル商品発注画面表示プログラム及びノンローカル商品発注画面表示プログラムを実行を許可して、「ネットワーク・インターフェース」を通じてユーザ端末の発注画面に、第一国ローカル商品と第一国ローカル商品以外の両方の商品発注画面情報を表示する。
【０１３３】
これらにより、第一国に存在する既存のインターネットショッピングサイトについて、そのサイトを普段から利用している登録会員に限定して、第二国の商品を同じサイト内にて案内することにより、第二国商品を安価で購入するという特典を得たいというユーザにおける第一国に存在する既存のインターネットショッピングサイトへの会員登録を促進する効果の発揮させることができる。
【０１３４】
＜処理の流れ＞
図２０は、本実施例における第一国システムを利用した場合の処理の流れを示す図である。図２０にあるように、発注画面表示ステップ（Ｓ２００１）、登録会員情報保持ステップ（Ｓ２００２）、登録会員認証ステップ（Ｓ２００３）、登録会員か否かを判断する段階（Ｓ２００４）、アクセス許可ステップ（Ｓ２００５）、ローカル商品発注画面表示ステップ（Ｓ２００６）、ノンローカル商品発注画面表示ステップ（Ｓ２００７）、割当表示サブステップ（Ｓ２００８）、発注取得ステップ（Ｓ２００９）、決済情報出力ステップ（Ｓ２０１０）、商品発送情報出力ステップ（Ｓ２８１１）からなる第一国商品受注サーバ装置の処理方法と、第一決済情報取得ステップ（Ｓ２０１２）、第二決済情報出力ステップ（Ｓ２０１３）からなる第一国決済サーバ装置からなる処理方法である。そして、第一国商品受注サーバ装置における第一決済情報出力ステップ後に第一国決済サーバ装置における第一決済情報取得ステップが実行される。図２０のうち、第一国決済サーバ装置の各ステップは実施例１と同様であり、第一国商品受注サーバ装置の各ステップは、登録会員情報保持ステップ（Ｓ２８０２）、登録会員認証ステップ（Ｓ２８０３）、登録会員か否かを判断する段階（Ｓ２８０４）、アクセス許可ステップ（Ｓ２８０５）を除いて実施例１、４及び５と同様である。  
【０１３５】
「登録会員情報保持ステップ」とは、登録会員情報を保持する段階である。
【０１３６】
「登録会員認証ステップ」とは、インターネットを介して登録会員であるか否かを認証する段階である。
【０１３７】
次に、登録会員であるか否かにより、処理の方法が分岐する。登録会員でなければ、処理は完了する。他方、登録会員であれば、次のステップに移行する。
【０１３８】
「アクセス許可部」とは、登録会員認証ステップでの認証がされた場合にのみ、ローカル商品発注画面表示ステップとノンローカル商品発注画面表示ステップとにインターネットを介してアクセスを許可する段階である。
【０１３９】
＜まとめ＞
これらにより、第一国に存在する既存のインターネットショッピングサイトについて、そのサイトを普段から利用している登録会員に限定して、第二国の商品を同じサイト内にて案内することにより、第二国商品を安価で購入するという特典を得たいというユーザにおける第一国に存在する既存のインターネットショッピングサイトへの会員登録を促進する効果の発揮させることができる。
【実施例７】
【０１４０】
実施例７は、前記実施例のうちいずれか一に記載の第一国システムと、前記実施例のうちいずれか一に記載の第二国システムと、からなる越境システムである。機能的構成、ハードウェア構成、処理の流れは、実施例１から６に記載の説明のとおりである。
【符号の説明】
【０１４１】
ＣＰＵ：０２０１、０３０１、０６０１、０７０１、１００１、１３０１、１６０１、１９０１
ＨＤＤ：０２０２、０３０２、０６０２、０７０２、１００２、１３０２、１６０２、１９０２
主メモリ：０２０３、０３０３、０６０３、０７０３、１００３、１３０３、１６０３、１９０３
ネットワークＩ／Ｆ：０２０４、０３０４、０６０４、０７０４、１００４、１３０４、１６０４、１９０４
システムバス：０２０５、０３０５、０６０５、０７０５、１００５、１３０５、１６０５、１９０５
【図１】
0006456856.tif 000002
【図２】
0006456856.tif 000003
【図３】
0006456856.tif 000004
【図４】
0006456856.tif 000005
【図５】
0006456856.tif 000006
【図６】
0006456856.tif 000007
【図７】
0006456856.tif 000008
【図８】
0006456856.tif 000009
【図９】
0006456856.tif 000010
【図１０】
0006456856.tif 000011
【図１１】
0006456856.tif 000012
【図１２】
0006456856.tif 000013
【図１３】
0006456856.tif 000014
【図１４】
0006456856.tif 000015
【図１５】
0006456856.tif 000016
【図１６】
0006456856.tif 000017
【図１７】
0006456856.tif 000018
【図１８】
0006456856.tif 000019
【図１９】
0006456856.tif 000020
【図２０】
0006456856.tif 000021